(57)【要約】【課題】撮影カメラとライセンスライトを一体に組み合わせし、二つの構造が同じ経路を共通に使用できる撮影装置を内蔵するライセンスライトセットを提供すること。【解決手段】内部に少なくとも一つの発光素子及び撮影カメラを取り付けるためのケースが設けられ、さらに、光透過カバーを該ケースに結合することで、発光素子と撮影カメラを一体に整合し、両者が同じ経路を共通に使用させる。【選択図】図２
0003121535.tif 000002
【実用新案登録請求の範囲】
【請求項１】
内部に少なくとも一つの発光素子及び撮影カメラを取り付けるためのケースが設けられ、
さらに、光透過カバーを該ケースに結合することで、発光素子と撮影カメラを一体に整合し、
発光素子と撮影カメラの双方が同じ経路を共通に使用させ、車体線路を設置し易くすることを特徴とする、
撮影装置を内蔵するライセンスライトセット。
【請求項２】
前記ケース内部の左右両側には、発光素子を挿着するためのプラグをそれぞれ設置していることを特徴とする、請求項１に記載の撮影装置を内蔵するライセンスライトセット。
【請求項３】
前記少なくとも一つの発光素子は、回路基板に結合される複数の発光ダイオードからなり、該回路基板の裏側にケース内のプラグに対応するコンセントが設置され、集光可能なフレームで全体の周縁を覆わせるように設けていることを特徴とする、請求項２に記載の撮影装置を内蔵するライセンスライトセット。
【請求項４】
前記光透過カバー上には、撮影カメラを設置するための凸部が一体成形に設けられることを特徴とする、請求項１に記載の撮影装置を内蔵するライセンスライトセット。
【請求項５】
前記光透過カバー上には、カメラ保護カバーを結合するための開口が設けられることを特徴とする、請求項１に記載の撮影装置を内蔵するライセンスライトセット。
【請求項６】
前記カメラ保護カバーの底面が、両側から内へ徐々に縮まれる傾斜底面に設けると共に、一側の傾斜面上に撮影カメラを設置するための凸部が設けられることを特徴とする、請求項１に記載の撮影装置を内蔵するライセンスライトセット。
【考案の詳細な説明】
【技術分野】
【０００１】
本考案は、ライセンスライト（ナンバープレート照射燈）と撮影カメラを一体に整合する撮影装置を内蔵するライセンスライトセットに係り、様々な車両又は類似構造に適合する撮影装置を内蔵するライセンスライトセットに関するものである。
【背景技術】
【０００２】
自動車は、非常に便利な交通ツールであり、ドライバーが運転席上に両側及び中央のバックミラーを介して周囲の環境を知るが、車両の両側及び中央のバックミラーで自動車の正後方を見ることができないので、ドライバーが自動車の後方の状況を良く知るために、バックランニング用レーダ及び車両用撮影カメラが、上記のような事態に応じて発明された。また、路人が車両のライセンス番号を良く見えるために、多くの車両は共に後ライセンス上方に光源を設けることで、車両のライセンス番号が良く見られるようになる。
【考案の開示】
【考案が解決しようとする課題】
【０００３】
しかしながら、上記の二つの構造は共に独立な設備であって、車両が該二つの設備を取付しようとすると、光源及び撮影カメラの設置用の二経路を設置する必要があるため、車両の施工期間がとても長く、自動車の所有者がある時間内に該車両を使用できなくなり、しかも、二セットの線路経路を設置するコストも高い。また、従来の車両バックライニング撮影カメラが、通常に車両後ろの安全レバー中央又は車体上方に取付けられ、車両がバックするときに、ドライバがディスプレイにより撮影カメラが撮影した画像を表示し、後ろの状況を良く知り、衝突又は危険状況の発生を避ける。
【０００４】
しかし、従来の撮影カメラの取付位置が高すぎ又は低すぎるため、該撮影カメラの撮影角度が限られ、比較的に低い安全レバーの位置に取り付けると、所在環境の光線が比較的に暗い時に、撮影された画像が明晰に識別できなく、さらに、撮影カメラが位置低い後ろ安全レバー上にに取り付けられるため、ドライバがバックランニングの時に不注意、又は後方の車の衝突を遭うとすると、安全レバー上の撮影カメラを極めて損害し易いので、その最も主要な欠点である。
【０００５】
本願は以上の点に鑑み、ライセンスライトと撮影カメラを一体に整合する撮影装置を内蔵するライセンスライトセットの提供を期し、専念な観察かつ研究をし、さらに学術理論の運用に合せ、合理的に設計且つ組み立てし消費者に提供するためになされたものである。
【課題を解決するための手段】
【０００６】
本考案の主な目的は、撮影カメラとライセンスライトを一体に整合し、二つの構造が同じ経路を共通に使用できる撮影装置を内蔵するライセンスライトセットを提供することにある。
【０００７】
本考案の次の目的は、車両のライセンス番号が光線照明を有すると共に、撮影カメラが適当な光線を有し、撮影された画像が明晰に見られる撮影装置を内蔵するライセンスライトセットを提供することにある。
【０００８】
前記目的を達成するために、本考案は、主に、内部に少なくとも一つの発光素子及び撮影カメラを取り付けるためのケースが設けられ、さらに、光透過カバーを該ケースに結合することで、発光素子と撮影カメラを一体に整合し、二つの構造が同じ経路を共通に使用させ、車体線路を設置し易くする。
【０００９】
すなわち、本願の第１考案は、内部に少なくとも一つの発光素子及び撮影カメラを取り付けるためのケースが設けられ、さらに、光透過カバーを該ケースに結合することで、発光素子と撮影カメラを一体に整合し、発光素子と撮影カメラの双方が同じ経路を共通に使用させ、車体線路を設置し易くすることを特徴とする、撮影装置を内蔵するライセンスライトセットを提供する。
【００１０】
本願の第２考案は、前記ケース内部の左右両側には、発光素子を挿着するためのプラグをそれぞれ設置していることを特徴とする、前記第１考案における撮影装置を内蔵するライセンスライトセットを提供する。
【００１１】
本願の第３考案は、前記少なくとも一つの発光素子は、回路基板に結合される複数の発光ダイオードからなり、該回路基板の裏側にケース内のプラグに対応するコンセントが設置され、集光可能なフレームで全体の周縁を覆わせるように設けていることを特徴とする、前記第２考案における撮影装置を内蔵するライセンスライトセットを提供する。
【００１２】
本願の第４考案は、前記光透過カバー上には、撮影カメラを設置するための凸部が一体成形に設けられることを特徴とする、前記第１考案における撮影装置を内蔵するライセンスライトセットを提供する。
【００１３】
本願の第５考案は、前記光透過カバー上には、カメラ保護カバーを結合するための開口が設けられることを特徴とする、前記第１考案における撮影装置を内蔵するライセンスライトセットを提供する。
【００１４】
本願の第６考案は、前記カメラ保護カバーの底面が、両側から内へ徐々に縮まれる傾斜底面に設けると共に、一側の傾斜面上に撮影カメラを設置するための凸部が設けられることを特徴とする、前記第１考案に記載の撮影装置を内蔵するライセンスライトセットを提供する。
【考案の効果】
【００１５】
本考案に係る装置は、以下の実用利点を有する。
（１）発光素子と撮影カメラの二種類構造を一体に有効に整合し、車両が一回の組立動作で二種類構造の設置を完成できる。
（２）車両が発光素子と撮影カメラの二種類配置を結合する施工期間を有効に短縮すると共に、施工コストも削減できる。
（３）該発光素子から発する光線が、ライセンス番号が明晰に見られるだけでなく、撮影カメラに適当な光線を供給でき、撮影カメラが撮影した画像が明晰に見られる。
【考案を実施するための最良の形態】
【００１６】
本考案の他の特徴及び具体的な実施例は、後続の詳しく説明及び図示よりさらに了解できる。
図１、図２を参照して説明する。
本考案の撮影装置を内蔵するライセンスライトセットは、主に、ケース１と、少なくとも一つの発光素子２と、撮影カメラ３と、光透過カバー４と、カメラ保護カバー５とを有し、該ケース１内部に発光素子数に応じてプラグが設置され、本実施例のケース１内部の左右両側には、プラグ１１、１２をそれぞれ設置し、且つ、ケース１の開口が水平外向きにフランジ１３を設けている。
【００１７】
少なくとも一つの発光素子２は、ランプや発光ダイオード等で良い、本実施例の発光素子が二つを設けており、且つ、該二の発光素子２が発光ダイオードを例として説明し、図３を参照すると、これらの発光素子２は、二の発光ダイオード２１３を回路基板２１２上に結合させ、該回路基板２１２の裏側にコンセント２１１が設けられ、さらに、集光作用のあるフレーム２１で覆わせる。
【００１８】
該撮影カメラ３が、ケース１に接続されている。
【００１９】
該光透過カバー４が、ケース１開口のフランジ１３に合せて設置され、且つ、光透過カバー４の中央部に開口４１が設けられる。
【００２０】
該カメラ保護カバー５が、光透過カバー４の開口４１に結合され、該カメラ保護カバー５の底面が、両側から内へ徐々に縮まれる傾斜底面に設けると共に、一側の傾斜面上に凸部５１が設けられる。また、該光透過カバー４とカメラ保護カバー５が一体成形で作製しても良い。
【００２１】
該二の発光素子２は、その後端部に設けられたコンセント２１１を介して、撮影カメラ３が設けられたケース１のプラグ１１、１２と挿着し、撮影カメラ３を該二の発光素子２の間に位置させ、光透過カバー４の開口４１内にカメラ保護カバー５を嵌合し、さらに、カメラ保護カバー５の凸部５１に撮影カメラ３を設置し、最後に、ケース１開口のフランジ１３に光透過カバー４を結合させ、本考案の組立を完成する。
【００２２】
使用の際には、図１〜図４に示すように、カメラ保護カバー５上の凸部５１が外向きの方式で車両６後方のライセンス６１の上方に上記結合したケース１を結合させ、撮影カメラ３が車両６後方の状況を撮影できるようになり、カメラ保護カバー５で、埃、雨などの異物による撮影カメラ３への損害を防ぐとともに、該撮影カメラ３の両側の発光素子２から発する光線が光透過カバー４を介して下方向へ照射でき、ライセンス番号が明晰に見られるようになる。
【００２３】
しかし、前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【００２４】
以上のように、本考案は予期の創作目的を達成でき、発光素子と撮影カメラを一体に有効に整合する撮影装置を内蔵するライセンスライトセットを供給し、実用価値を有し、フルに実用新案の要件を満たすので、法に従って出願を提起するが、ご査察の上、本考案のことを早期に公開されることを、宜しくお願い申し上げたい。
【図面の簡単な説明】
【００２５】
【図１】本考案による実施例の斜視外観図である。
【図２】本考案による実施例の素子分解図である。
【図３】本考案による発光素子を示す拡大図である。
【図４】本考案による実施例を車両に結合された使用状態を示す図である。
【符号の説明】
【００２６】
１・・・・・ケース
２・・・・・発光素子
３・・・・・撮影カメラ
４・・・・・光透過カバー
５・・・・・カメラ保護カバー
１１、１２・・プラグ
１３・・・・フランジ
４１・・・・開口
５１・・・・凸部
６１・・・・ライセンス
２１１・・・コンセント
２１２・・・回路基板
２１３・・・発光ダイオード
【図１】
0003121535.tif 000003
【図２】
0003121535.tif 000004
【図３】
0003121535.tif 000005
【図４】
0003121535.tif 000006